(57)【特許請求の範囲】
【請求項１】
基板と、この基板に配置された撮影用レンズを含んで構成された携帯型機器構成部品を収容可能とされた主筐体と、
前記主筐体に設けられ、前記携帯型機器構成部品を主筐体内に挿入するための挿入口と、
前記主筐体に対し脱着可能とされ前記挿入口を封止する封止部材と、
前記主筐体内で前記携帯型機器構成部品の少なくとも１つをこの携帯型機器構成部品の挿入方向奥側に向かっては移動不能で、前記基板の奥辺を中心として回転する方向、又は基板の厚み方向には移動可能に保持する保持部材と、
前記主筐体に設けられ、前記撮影用レンズを収容可能な開口部と、
前記主筐体内に設けられ、前記撮影用レンズが対応する前記開口部に位置するように前記基板を位置決めする位置決め部材と、
を有することを特徴とする携帯型機器。
【請求項２】
前記保持部材が、前記挿入口とは反対側の前記主筐体の側壁に設けられ、前記基板の奥辺を収容することで携帯型機器構成部品を回動可能に保持する保持溝、であることを特徴とする請求項１に記載の携帯型機器。
【請求項３】
前記挿入口から挿入された電池を収容するための電池収容部と、
前記挿入口から挿入された記録媒体を収容するための記録媒体収容部と、
を備えることを特徴とする請求項１又は請求項２に記載の携帯型機器。
【発明の詳細な説明】
【０００１】
【発明の属する技術分野】
本発明は、携帯型機器に関する。
【０００２】
【従来の技術】
従来の携帯型機器の一例として、デジタルスチルカメラを例に挙げて説明する。
【０００３】
図６及び図７には、従来のデジタルスチルカメラが示されている（特開平１０−２４３２７１号公報参照）。
【０００４】
このデジタルスチルカメラは、一対のキャビネット半体１０２、１０４を付き合わせて構成されており、両キャビネット半体１０２、１０４内に、撮影用のレンズ体１０８と、フラッシュ用のランプと、画像を記憶するフラッシュメモリを搭載した回路基板ユニット１０６が設けられている。また、両キャビネット半体１０２、１０４の下面には夫々開口１１０Ａ、１１０Ａが開設され、両開口１１０Ａ、１１０Ａが突き合わさって、電池収納ケース１１２の電池収納口１１０を形成している。電池収納口１１０には、電池カバー１１４が取り付けられる。
【０００５】
したがって、このデジタルスチルカメラでは、組み付け時に、キャビネット半体１０２、１０４のいずれか一方に回路基板ユニット１０６などの構成部品を配置した後、さらにキャビネット半体１０２、１０４の他方を突き合わせないと、構成部品が脱落するおそれがあり、組み付け性が低い。
【０００６】
【発明が解決しようとする課題】
本発明は、上記事実を考慮し、組み付けの容易な携帯型機器を得ることを課題とする。
【０００７】
【課題を解決するための手段】
請求項１に記載の発明では、基板と、この基板に配置された撮影用レンズを含んで構成された携帯型機器構成部品を収容可能とされた主筐体と、前記主筐体に設けられ、前記携帯型機器構成部品を主筐体内に挿入するための挿入口と、前記主筐体に対し脱着可能とされ前記挿入口を封止する封止部材と、前記主筐体内で前記携帯型機器構成部品の少なくとも１つをこの携帯型機器構成部品の挿入方向奥側に向かっては移動不能で、前記基板の奥辺を中心として回転する方向、又は基板の厚み方向には移動可能に保持する保持部材と、前記主筐体に設けられ、前記撮影用レンズを収容可能な開口部と、前記主筐体内に設けられ、前記撮影用レンズが対応する前記開口部に位置するように前記基板を位置決めする位置決め部材と、を有することを特徴とする。
【０００８】
したがって、基板と、この基板に配置された撮影用レンズを含んで構成された携帯型機器構成部品は、挿入口から主筐体内に挿入される。携帯型機器構成部品の少なくとも１つは、保持部材によって、主筐体内で挿入方向奥側に向かっては移動不能に保持されるので、不用意に脱落しない。しかも、保持部材で保持された携帯型機器構成部品は、主筐体内で基板の奥辺を中心として回転する方向、又は基板の厚み方向には移動可能なので、この携帯型機器構成部品、あるいは他の携帯型機器構成部品の組み付けをより容易に行うことができる。その後、封止部材で挿入口を封止する。
また、主筐体には開口部が設けられており、撮影用レンズが収容可能とされている。さらに、主筐体には位置決め部材が設けられており、位置決め部材により基板を位置決めすることで、撮影用レンズを対応する開口部に位置させることができる。
【０００９】
また、携帯型機器の筐体は、主筐体と、封止部材の２つで済むので、従来と比較して、より少ない部品点数で携帯型機器を構成できる。
【００１０】
なお、携帯型機器構成部品の種類は特に限定されないが、たとえば、一般的なデジタルスチルカメラなどの撮像装置では、撮影用レンズや基板などを有しており、これらは、他の携帯型機器構成部品（撮像装置構成部品）よりも大型の場合が多い。したがって、少なくともこれらの部品（撮影用レンズや基板など）を主筐体内に挿入できるように、挿入口が設けられていることが好ましい。
【００１１】
請求項２に記載の発明では、請求項１に記載の発明において、前記保持部材が、前記挿入口とは反対側の前記主筐体の側壁に設けられ、前記基板の奥辺を収容することで携帯型機器構成部品を回動可能に保持する保持溝、であることを特徴とする。
【００１２】
したがって、携帯型機器構成部品の基板の奥辺を、挿入口とは反対側の主筐体の側壁に設けられた保持溝に収容させることで、携帯型機器構成部品を、保持部材（保持溝）で保持された状態を維持しつつ主筐体内で回動させることができる。これにより、主筐体内で他の携帯型機器構成部品などを組み付けるときに、組み付けをさらに容易に行うことが可能になる。
【００１４】
請求項３に記載の発明では、請求項１又は請求項２に記載の発明において、前記挿入口から挿入された電池を収容するための電池収容部と、前記挿入口から挿入された記録媒体を収容するための記録媒体収容部と、を備えることを特徴とする。
したがって、挿入口から電池及び記録媒体をそれぞれ電池収容部及び記録媒体収容部に収容できる。収容状態では、挿入口を封止部材で封止できる。
【００１５】
【発明の実施の形態】
図１〜図３には、本発明の一実施形態の携帯型機器であるデジタルスチルカメラ１２が斜視図にて示されている。また、図４（Ａ）〜（Ｃ）には、このデジタルスチルカメラ１２が断面図にて示されている。
【００１６】
このデジタルスチルカメラ１２は、筐体１４を有している。筐体１４は、略箱状に形成され、一面（本実施形態では筐体１４の側面１４Ｓ）に挿入口２０が形成された主筐体１６と、挿入口２０を封止する封止板１８と、で構成されている。
【００１７】
図１及び図２に示すように、主筐体１６内には、このデジタルスチルカメラ１２を構成する構成部品である、基板２２と、基板２２に取り付けられた撮影用レンズ２４、シャッターボタン２６、発光部材２８、ファインダー部材６４及びこれら以外の各種構成部品が配置される（以下、単に「構成部品」というときは、特に断らない限り、基板２２、シャッターボタン２６、撮影用レンズ２４、発光部材２８、ファインダー部材６４及びこれら以外の各種構成部品を言うものとする）。基板２２は、挿入口２０から、矢印Ａ方向へと主筐体１６内に挿入される。
【００１８】
挿入口２０は、構成部品を主筐体１６内に挿入し、且つ、後述するように基板２２を回動させて、主筐体１６内で各構成部品の組み付けを行うことができる位置及び大きさとなるように、各種構成部品のサイズなどを考慮して形成されている。
【００１９】
主筐体１６は、挿入口２０から、反対側の側壁１６Ｗに向かうにしたがって、次第に厚みが薄くなる形状とされている。側壁１６Ｗの内側には、基板２２と等しい高さの保持溝５８が形成されている。保持溝５８は、基板２２の挿入方向奥側の奥辺２２Ｒを収容して、基板２２を保持可能とされている。図４（Ａ）から分かるように、基板２２は、主筐体１６の背面１６Ｂと略平行に主筐体１６内に挿入され、その後、奥辺２２Ｒが保持溝５８に収容された状態で（基板２２のこの位置を、「挿入位置」という）、この奥辺２２Ｒを中心として、主筐体１６内で矢印Ｍ方向に回動するようになっている。この回動により、図４（Ｃ）に示すように、基板２２は主筐体１６の前面１６Ｆと略平行な位置（基板２２のこの位置が「固定位置」となる）に至る。
【００２０】
主筐体１６内には、基板２２の挿入方向手前側、すなわち挿入口２０の近傍において、先端にテーパー面６０Ｔ及び係止面６０Ｓが形成された上下２つの基板固定部材６０が突設されている。基板固定部材６０は、先端側が弾性的に撓むようになっている。図４（Ｂ）に示すように、主筐体１６内で基板２２が奥辺２２Ｒを中心として矢印Ｒ方向に回動すると、基板２２が、基板固定部材６０のテーパー面６０Ｔに当たるので、さらに基板２２を矢印Ｒ方向に回動させると、基板固定部材６０が撓む。そして、基板２２がテーパー面６０Ｔを乗り越えると、図４（Ｃ）に示すように、基板固定部材６０が弾性復元し、係止面６０Ｓが基板２２に接触する。
【００２１】
主筐体１６内には、前面１６Ｆに位置決め片６２が突設されている。位置決め片６２は、基板固定部材６０が弾性復元し、係止面６０Ｓが基板２２に接触した状態で基板２２の矢印Ｒ方向への回動を阻止して位置決めする。これにより、基板２２は、位置決め片６２と係止面６０Ｓとに挟まれて、主筐体１６内の固定位置で固定される。
【００２２】
なお、図４（Ａ）及び（Ｃ）から分かるように、保持溝５８から基板固定部材６０までの距離Ｄ１は、基板２２の幅Ｗ１と等しくされている。このため、基板２２は固定位置において、幅方向への不用意ながたつきが防止される。
【００２３】
基板２２には、さらに、発光部材２８及びファインダ部材６４が取り付けられている。図４（Ｃ）に示すように、基板２２が主筐体１６内の固定位置に配置されると、撮影用レンズ２４、発光部材２８及びファインダ部材６４はそれぞれ、主筐体１６に設けられた開口部６６、６８、７０内に位置する。ここで、図５に示すように、基板２２の奥辺２２Ｒから発光部材２８、撮影用レンズ２４及びファインダ部材６４までの距離Ｔ、Ｌ、Ｓに対し、保持溝５８から、それぞれ対応する開口部６６、６８、７０までの距離Ｔ、Ｌ、Ｓが等しくなるように、開口部６６、６８、７０の位置が決められている。したがって、主筐体１６内の固定位置に基板２２を配置すると、発光部材２８、撮影用レンズ２４及びファインダ部材６４がそれぞれ開口部６６、６８、７０に収容され、位置決めされる。
【００２４】
基板２２には、シャッターボタン２６、発光部材２８及びファインダ部材６４に対応したカバー３０、３２、３４が取り付けられている。なお、基板２２には、図示しない各種の操作ボタンや表示部材などがさらに設けられることがあり、主筐体１６には、必要に応じて、これらに対応した開口部やカバーが備えられる。
【００２５】
また、基板２２には、電池５４を収容するための収容部材３６が設けられている。基板２２を主筐体１６内の固定位置に配置したとき、収容部材３６によって、挿入口２０の近傍に電池収容部５０が構成される。
【００２６】
さらに、基板２２には、記録媒体収容部材３８が設けられており、基板２２を主筐体１６内の固定位置に配置したとき、記録媒体収容部５２が挿入口２０の近傍に位置するようになっている。したがって、封止板１８を主筐体１６から取り外し、挿入口２０を開放した状態で、挿入口２０から電池５４及び記録媒体５６を挿入し、それぞれ電池収容部５０及び記録媒体収容部５２に配設（挿入）することができる。なお、収容部材３６、３８は、主筐体１６に直接的に取り付けられていてもよいし、基板２２以外の構成部品に取り付けられていてもよい。
【００２７】
封止板１８の下端には、デジタルスチルカメラ１２の厚み方向（矢印Ｄ方向）に向かって、支軸４０が突設されている。これに対し、主筐体１６には、この支軸４０が挿入される軸孔４２が形成されている。主筐体１６に封止板１８を組み付けるときは、たとえば、封止板１８をわずかに撓ませて２つの支軸４０を接近させ、軸孔４２に挿入する。挿入後は、図２に示すように、封止板１８の形状が復元するので、支軸４０が軸孔４２に挿入された状態が維持され、不用意に封止板１８が主筐体１６から分離しなくなる。また、この状態で、封止板１８は支軸４０を中心として、矢印Ｒ方向に回動可能となる。
【００２８】
封止板１８の上端には、爪４４と、指等で押さえてこの爪４４を撓ませるための解除片４６が形成されている。これに対し、主筐体１６には、爪４４が係合可能な係合片（図示省略）が設けられている。封止板１８を矢印Ｍ方向に回動させて爪４４を係合片にあてがい、さらに矢印Ｒ方向に押し込むと、爪４４が弾性変形して、係合片に係合する。係合状態では、図３に示すように、封止板１８の外面が主筐体１６の外面と面一になると共に、挿入口２０を封止した状態が維持される。ここで、解除片４６に指等をかけて爪４４を撓ませると、係合片への爪４４の係合が解除されるので、封止板１８を矢印Ｒと反対の方向に回動させて、挿入口２０を開放することができる。
【００２９】
次に、本実施形態に係る筐体１４に構成部品を組み付けてデジタルスチルカメラ１２を構成する（組み立てる）方法、及びデジタルスチルカメラ１２の作用を説明する。
【００３０】
構成部品を筐体１４に組み付ける場合、まず、図１に示すように、主筐体１６から封止板１８を取り外した状態（支軸４０を軸孔４２に挿入しない状態）としておく。
【００３１】
まず、基板２２を主筐体１６の背面１６Ｂと略平行に、主筐体１６内に挿入する。基板２２は、主筐体１６の前面１６Ｆに対し離間した状態で挿入されるので、基板２２に取り付けられた各種構成部品（撮影用レンズ２４など）が主筐体１６に当たることはなく、スムーズに基板２２を主筐体１６内に挿入することができる。特に、撮影用レンズ２４などの比較的大型の構成部品であっても、容易に主筐体１６内に挿入して組み付けることができる。
【００３２】
そして、図４（Ａ）に示すように、基板２２の奥辺２２Ｒが保持溝５８に収容されると、基板２２は挿入位置となる。このとき、主筐体１６の前面１６Ｆと基板２２とは離間しており、所定の隙間が構成されているので、他の構成部品を、主筐体１６の前面１６Ｆと基板２２との間に配置する作業や、この隙間での配線作業などを容易に行うことができる。また、基板２２が保持溝５８によって保持され、不用意に脱落しないので、これによっても、作業を容易に行うことが可能になる。
【００３３】
次に、基板２２を矢印Ｍ方向に回動させる。図４（Ｂ）に示すように、基板２２が、基板固定部材６０のテーパー面６０Ｔに当たるが、さらに基板２２を回動させ、基板固定部材６０を撓ませる。そして、図４（Ｃ）に示すように、基板２２は、テーパー面６０Ｔを乗り越えると、弾性復元した基板固定部材６０の係止面６０Ｓと、位置決め片６２との間に挟まれ、基板２２が固定位置で固定される。このとき、発光部材２８、撮影用レンズ２４及びファインダ部材６４がそれぞれ、対応する開口部６６、６８、７０に収容され、位置決めされる。ここで、電池５４及び記録媒体５６を、それぞれ電池収容部５０及び記録媒体収容部５２に収容する。
【００３４】
組み付け完了後は、図２に示すように、封止板１８の支軸４０を、主筐体１６の軸孔４２に挿入して、封止板１８を主筐体１６に取り付ける。この状態で、封止板１８は主筐体１６から不用意に分離しなくなり、封止板１８の脱落や紛失が防止される。
【００３５】
さらに、図３に示すように、封止板１８を矢印Ｒ方向に回動させて爪４４を図示しない係合片に係合させる。これにより、挿入口２０が封止された状態に維持され、構成部品や電池５４、記録媒体５６などの不用意な脱落が防止される。また、封止板１８が主筐体１６の外面と面一になり、デジタルスチルカメラ１２が構成される。
【００３６】
ここで、本実施形態のデジタルスチルカメラ１２では、主筐体１６が、実質的に構成部品を取り囲むように位置している。したがって、デジタルスチルカメラ１２自体の堅牢性が高くなり、たとえば、外力が作用した場合でも、構成部品を外力からより確実に保護することが可能になっている。
【００３７】
デジタルスチルカメラ１２の使用中には、電池５４や記録媒体５６などの交換部品を交換する必要が生じる場合もある。この場合、ユーザーは、解除片４６に指等をかけて爪４４を撓ませ、係合片へ爪４４の係合を解除する。そして、封止板１８を矢印Ｒと反対方向に回動させて、挿入口２０を開放する。これにより、電池５４や記録媒体５６などの交換部品を交換することができる。特に、本実施形態のデジタルスチルカメラ１２では、挿入口２０の近傍に、電池５４を収容する電池収容部５０、及び記録媒体５６を収容する記録媒体収容部５２が配置されているので、これらの交換を、より容易に行うことができる。
【００３８】
また、挿入口２０を開放した状態であっても、封止板１８の支軸４０が主筐体１６の軸孔４２に挿入されており、封止板１８が主筐体１６から不用意に分離しないので、封止板１８を紛失するおそれがない。
【００３９】
以上の説明から分かるように、本実施形態のデジタルスチルカメラ１２では、このデジタルスチルカメラ１２の筐体１４が、主筐体１６を封止板１８の２部品のみで構成されており、従来のデジタルスチルカメラと比較して、部品点数が少ない。
【００４０】
しかも、本実施形態のデジタルスチルカメラ１２では、基板２２を主筐体１６内で一時的に保持させた状態で組み付け作業を行うことができるので、基板２２の不用意な脱落が防止され、組み付け作業をより容易に行うことができる。また、基板２２は、主筐体１６に保持された状態で回動するので、さらに組み付け作業を容易に行うことができる。しかも、本実施形態では、保持溝５８のみで基板２２を保持するようにしているので、構造の複雑化を招くこともない。
【００４１】
なお、このように、デジタルスチルカメラ１２の筐体１４が、主筐体１６と封止板１８とで構成されるようになっていれば、本発明としては、上記した構造に限定されない。たとえば、主筐体１６の挿入口２０を、側面１４Ｓ以外の面（正面や背面）などに設けてもよい。
【００４２】
また、封止板１８（封止部材）が挿入口２０を開放した状態で、主筐体１６から分離不能とする構成も、上記した支軸４０及び軸孔４２に限定されない。たとえば、主筐体１６と封止板１８とを紐などで単に結びつけるようにしてもよい。
【００４３】
さらに、主筐体１６内で、基板２２を回動可能に保持するための構成も、上記した保持溝５８に限定されない。たとえば、基板２２を厚み方向にスライド可能に保持するような構成でもよい。
【００４４】
上記説明では、本発明の携帯型機器として、デジタルスチルカメラ１２を例に挙げて説明したが、携帯型機器はこれに限定されず、たとえば、銀塩カメラなどの撮像装置を挙げることができる。さらには、動画を撮影可能な動画撮影装置、いわゆるヘッドフォンステレオなどの音声再生装置、携帯型ゲーム機、携帯型ラジオなどの携帯型受信機、携帯型トランシーバーなどの携帯型無線機、「ＰＤＡ」と称される個人情報機器（Ｐｅｒｓｏｎａｌ  Ｄｉｇｉｔａｌ  Ａｓｓｉｓｔａｎｔ）、携帯電話なども、本発明の携帯型機器に含まれる。また、実際の使用状況において、携帯して使用されるか、若しくは据え置いて使用されるかは特に問わず、携帯可能に構成されていればよい。
【００４５】
【発明の効果】
本発明は上記構成としたので、組み付けの容易な携帯型機器を得ることができる。
【図面の簡単な説明】
【図１】本発明の一実施形態のデジタルスチルカメラを示す分解斜視図である。
【図２】本発明の一実施形態のデジタルスチルカメラを封止板が挿入口を開放した状態で示す斜視図である。
【図３】本発明の一実施形態のデジタルスチルカメラを示す斜視図である。
【図４】本発明の一実施形態のデジタルスチルカメラに基板を挿入して固定する工程を（Ａ）〜（Ｃ）へと順に示す断面図である。
【図５】本発明の一実施形態のデジタルスチルカメラにおいて主筐体の開口部を基板の各種構成部品との位置関係を示す説明図である。
【図６】従来のデジタルスチルカメラを示す分解斜視図である。
【図７】従来のデジタルスチルカメラを示す分解斜視図である。
【符号の説明】
１２    デジタルスチルカメラ（携帯型機器）
１４    筐体
１６    主筐体
１８    封止板（封止部材）
２０    挿入口
２２    基板（携帯型機器構成部品）
２４    撮影用レンズ（携帯型機器構成部品）
５８    保持溝（保持部材、位置決め部材）
６０    基板固定部材（位置決め部材）
【図１】
0004191950.tif 000002
【図２】
0004191950.tif 000003
【図３】
0004191950.tif 000004
【図４】
0004191950.tif 000005
【図５】
0004191950.tif 000006
【図６】
0004191950.tif 000007
【図７】
0004191950.tif 000008